【手続補正書】
【提出日】平成19年11月12日(2007.11.12)
【手続補正１】
【補正対象書類名】特許請求の範囲
【補正対象項目名】全文
【補正方法】変更
【補正の内容】
【特許請求の範囲】
【請求項１】
古紙を脱インキする方法であって、次の工程すなわち
ａ）古紙を非アルカリ性又は低アルカリ性パルプスラリーに変換し、
ｂ）このパルプスラリーを、
（１）第１脂肪酸、並びに
（２）第１アルコキシル化脂肪アルコール及び／又は第１アルコキシル化脂肪酸
を含む脱インキ用配合物と接触させ、そして
ｃ）洗浄及び／又はフローテーションによりこのパルプスラリーからインキを分離する
工程を含む方法。
【請求項２】
古紙が、古新聞紙及び／又は古雑誌等級古紙を含む、請求項１に記載の方法。
【請求項３】
フローテーションによりパルプスラリーからインキを分離する、請求項１に記載の方法。
【請求項４】
工程ａ）におけるパルプスラリーが、６．０から８．８のｐＨを有する、請求項１に記載の方法。
【請求項５】
工程ａ）におけるパルプスラリーが、６．８から７．２のｐＨを有する、請求項１に記載の方法。
【請求項６】
脱インキ用配合物が、２２℃それ以上の温度において液体である、請求項１に記載の方法。
【請求項７】
第１脂肪酸が、アルコキシル化されていない、請求項１に記載の方法。
【請求項８】
第１脂肪酸が、２０ｗｔ％より多い少なくとも１６個の炭素原子を有する脂肪酸及び６０ｗｔ％より少ない１４個又はそれ以下の炭素原子を有する飽和脂肪酸を含む、請求項１に記載の方法。
【請求項９】
第１脂肪酸が、２０ｗｔ％より多い少なくとも１６個の炭素原子を有する脂肪酸及び６０ｗｔ％より少ない１４個又はそれ以下の炭素原子を有する脂肪酸を含む、請求項１に記載の方法。
【請求項１０】
第１脂肪酸が、６から２０個の炭素原子を含む、請求項１に記載の方法。
【請求項１１】
第１脂肪酸がトール油脂肪酸である、請求項１に記載の方法。
【請求項１２】
配合物が、（１）及び（２）を１：９９から９９：１の重量比にて含む、請求項１に記載の方法。
【請求項１３】
配合物が、（１）及び（２）を重量により１５：８５から５５：１５の重量比にて含む、請求項１に記載の方法。
【請求項１４】
配合物が、（１）及び（２）を重量により１：２から２：１又は３：１の重量比にて含む、請求項１に記載の方法。
【請求項１５】
脱インキ用配合物が第１アルコキシル化脂肪アルコールを含む、請求項１に記載の方法。
【請求項１６】
脱インキ用配合物が第１アルコキシル化脂肪アルコールを含み、そして第１アルコキシル化脂肪アルコールが式
Ｒ−Ｏ−［（ＣＨ2−ＣＨ2−Ｏ）n−（ＣＨ2−ＣＨ（ＣＨ3）−Ｏ）m］−Ｈ
〔ａ）ここで、
ｂ）Ｒは、直線状又は分枝状アルキル基であり、
ｃ）ｎは、５から４０であり、
ｄ）ｍは、０から２０であり、そして
ｅ）ｎ個の−（ＣＨ2−ＣＨ2−Ｏ）−単位及びｍ個の−（ＣＨ2−ＣＨ（ＣＨ3）−Ｏ）−単位は、任意の順序又は序列にてブロック又はランダム形態に配置される〕
を有する、請求項１に記載の方法。
【請求項１７】
Ｒが、Ｃ６からＣ２０アルキルである、請求項１６に記載の方法。
【請求項１８】
脱インキ用配合物が第１アルコキシル化脂肪アルコールを含み、そして第１アルコキシル化脂肪アルコールが少なくとも５モルのエトキシル化を含む、請求項１に記載の方法。
【請求項１９】
脱インキ用配合物が第１アルコキシル化脂肪アルコールを含み、そして第１アルコキシル化脂肪アルコールのアルコール部分が６から２０個の炭素原子を含む、請求項１に記載の方法。
【請求項２０】
脱インキ用配合物が、第１アルコキシル化脂肪酸を含む、請求項１に記載の方法。
【請求項２１】
脱インキ用配合物が第１アルコキシル化脂肪酸を含み、そして第１アルコキシル化脂肪酸が式
Ｒ2−Ｃ（Ｏ）Ｏ−［（ＣＨ2−ＣＨ2−Ｏ）p−（ＣＨ2−ＣＨ（ＣＨ3）−Ｏ）q］−Ｈ
〔ここで、
ａ）Ｒ2は、少なくとも６個の炭素原子を含む直線状又は分枝状アルキル基であり、
ｂ）ｐは、５から４５であり、
ｃ）ｑは、０から３０であり、そして
ｄ）ｐ個の−（ＣＨ2−ＣＨ2−Ｏ）−単位及びｑ個の−（ＣＨ2−ＣＨ（ＣＨ3）−Ｏ）−単位は、任意の順序又は序列にてブロック又はランダム形態に配置される〕
を有する、請求項１に記載の方法。
【請求項２２】
Ｒが、Ｃ６からＣ２０アルキルである、請求項２１に記載の方法。
【請求項２３】
脱インキ用配合物が第１アルコキシル化脂肪酸を含み、そして第１アルコキシル化脂肪酸が少なくとも５モルのエトキシル化を含む、請求項１に記載の方法。
【請求項２４】
脱インキ用配合物が第１アルコキシル化脂肪酸を含み、そして第１アルコキシル化脂肪酸の脂肪酸部分が６から２０個の炭素原子を含む、請求項１に記載の方法。
【請求項２５】
配合物が、水又は他の希釈剤を更に含む、請求項１に記載の方法。
【請求項２６】
配合物が、０から２５重量％の水又は他の希釈剤を更に含む、請求項１に記載の方法。
【請求項２７】
脱インキ用配合物が、第２アルコキシル化脂肪アルコールを更に含む、請求項１に記載の方法。
【請求項２８】
配合物が、第２アルコキシル化脂肪酸を更に含む、請求項１に記載の方法。
【請求項２９】
パルプスラリーからインキを分離する前又は分離中にフローテーション用添加剤をスラリーに添加することを更に含む、請求項１に記載の方法。
【請求項３０】
ケイ酸ナトリウム若しくは亜硫酸ナトリウム又はそれらの組合わせをパルプスラリーに添加することを更に含む、請求項１に記載の方法。
【請求項３１】
フローテーション前又はフローテーション中にカチオン性添加剤をスラリーに添加することを更に含む、請求項１に記載の方法。
【請求項３２】
フローテーション前又はフローテーション中にカチオン性ポリマーをスラリーに添加することを更に含む、請求項１に記載の方法。
【請求項３３】
フローテーション前又はフローテーション中にカチオン性ポリアミンをスラリーに添加することを更に含む、請求項１に記載の方法。
【請求項３４】
古紙を脱インキする方法であって、次の工程すなわち
ａ）古紙をパルプスラリーに変換し、
ｂ）このパルプスラリーを、
ｉ）第１脂肪酸、並びに
ｉｉ）第１アルコキシル化脂肪アルコール及び／又は第１アルコキシル化脂肪酸
を含む脱インキ用配合物と接触させ、そして
ｃ）フローテーションによりこのパルプスラリーからインキを分離し、しかも
ｄ）フローテーション中又はフローテーション前に少なくとも１種のフローテーション用添加剤を添加する
工程を含む方法。
【請求項３５】
古紙を脱インキする方法であって、次の工程すなわち
ａ）古紙を非アルカリ性又は低アルカリ性パルプスラリーに変換し、
ｂ）このパルプスラリーを、
ｉ）第１脂肪酸、並びに
ｉｉ）第１アルコキシル化脂肪アルコール及び／又は第１アルコキシル化脂肪酸
を含む脱インキ用配合物と接触させ、そして
ｃ）洗浄及び／又はフローテーションによりこのパルプスラリーからインキを分離する
工程を含み、しかも第１アルコキシル化脂肪アルコール及び／又は第１アルコキシル化脂肪酸が少なくとも５モルのエトキシル化を含み、そして第１脂肪酸が非アルコキシル化Ｃ６からＣ２０脂肪酸である方法。
【請求項３６】
フローテーションによりパルプスラリーからインキを分離する、請求項３５に記載の方法。
【請求項３７】
脱インキ用組成物であって、
ａ）アルコキシル化されていない第１脂肪酸であって、２０ｗｔ％より多い少なくとも１６個の炭素原子を有する脂肪酸及び６０ｗｔ％より少ない１４個又はそれ以下の炭素原子を有する飽和脂肪酸を含む第１脂肪酸、並びに
ｂ）第１アルコキシル化脂肪アルコール及び／又は第１アルコキシル化脂肪酸
を含む脱インキ用組成物。
【請求項３８】
第１脂肪酸が、２０ｗｔ％から９０ｗｔ％の少なくとも１６個の炭素原子を有する脂肪酸を含む、請求項３７に記載の組成物。
【請求項３９】
少なくとも１６個の炭素原子を有する第１脂肪酸が、４０ｗｔ％から９０ｗｔ％の不飽和である、請求項３７に記載の組成物。
【請求項４０】
第１アルコキシル化脂肪アルコール及び／又は第１アルコキシル化脂肪酸が、少なくとも１３のＨＬＢ値を有する、請求項３７に記載の組成物。
【請求項４１】
式
Ｒ−Ｏ−［（ＣＨ2−ＣＨ2−Ｏ）n−（ＣＨ2−ＣＨ（ＣＨ3）−Ｏ）m］−Ｈ
〔ここで、
ａ）Ｒは、直線状又は分枝状アルキル基であり、
ｂ）ｎは、５から４０であり、
ｃ）ｍは、０から２０であり、そして
ｄ）ｎ個の−（ＣＨ2−ＣＨ2−Ｏ）−単位及びｍ個の−（ＣＨ2−ＣＨ（ＣＨ3）−Ｏ）−単位は、任意の順序又は序列にてブロック又はランダム形態に配置される〕
の第１アルコキシル化脂肪アルコールを含む、請求項３７に記載の組成物。
【請求項４２】
ｎが１０から３０であり、そしてｍが１０より小さい、請求項４１に記載の組成物。
【請求項４３】
ｎが１２から２５であり、そしてｍが０である、請求項４１に記載の組成物。
【請求項４４】
組成物が、２２℃以上の温度において液体である、請求項３７に記載の組成物。
【請求項４５】
式
Ｒ2−Ｃ（Ｏ）Ｏ−［（ＣＨ2−ＣＨ2−Ｏ）p−（ＣＨ2−ＣＨ（ＣＨ3）−Ｏ）q］−Ｈ
〔ここで、
ａ）Ｒ2は、少なくとも６個の炭素原子を含む直線状又は分枝状アルキル基であり、
ｂ）ｐは、５から４５であり、
ｃ）ｑは、０から３０であり、そして
ｄ）ｐ個の−（ＣＨ2−ＣＨ2−Ｏ）−単位及びｑ個の−（ＣＨ2−ＣＨ（ＣＨ3）−Ｏ）−単位は、任意の順序又は序列にてブロック又はランダム形態に配置される〕
のアルコキシル化脂肪酸を含む、請求項３７に記載の組成物。
【請求項４６】
第２アルコキシル化脂肪アルコールを更に含む、請求項３７に記載の組成物。